Podtech/llm-jp-corpus-v4-ja_patent huggingface dataset:
(57)【特許請求の範囲】
【請求項１】
車両に向かって開いた、Ｕ字状断面をしている２つの取り付け部分（１５，１６）を有し、各取り付け部分が一体化されたクラッシュボックスとして役割を果たす、車両用バンパービームであって、
各取り付け部分が、取り付け部分の内に交差して位置しており、取り付け部分のウェブ（１３，１４）に熔接される側面端部（３８）を有するウェブ（３１，３２）と、車両の構造部に取り付ける為に設計されている、帽子の輪郭形状をしたサイドフランジ（３３，３４）とを持つ、帽子の輪郭形状をした補強部材（２９）を有し、補強部材（２９）のウェブ（３１，３２）が取り付け部分（１５，１６）のウェブ（１３，１４）に嵌り、溶接され、クラッシュボックスを形成することを特徴とするバンパービーム。
【請求項２】
帽子の輪郭形状をしたサイドフランジ（３３，３４）が、サイドフランジ、ひいては、バンパービームを車両に取り付けることができる固定要素の為の孔（３５，３６）を有することを特徴とする、請求項１に記載のバンパービーム。
【請求項３】
取り付け部分が、バンパービームの取り付けの為に、孔を通して、工具を入れることを可能にする為の孔（４１）を有することを特徴とする、請求項１又は請求項２に記載のバンパービーム。
【発明の詳細な説明】
【技術分野】
【０００１】
本発明は、車両に向かって開いた、Ｕ字状断面をしている、２つの取り付け部分を有する、バンパービームに関する。
【背景技術】
【０００２】
この種のバンパービームは、縦方向において、中心を外れた衝突のときに、バンパービームの取り付け部分において、ねじれる傾向を有する。この挙動は、取り付け部分が縦方向に狭く、水平方向に幅広く、一体化されたクラッシュボックスとしての役割を果たすときに、特に顕著となる。
【発明の概要】
【課題を解決するための手段】
【０００３】
本発明の目的は、良好なクラッシュ特性を有する取り付け部分を提供することである。この課題は、本発明に記載のバンパー・バーによって解決される。
【図面の簡単な説明】
【０００４】
【図１】本発明に記載の、バンパービームの実施例の、Ｘ線写真上面図である。
【図２】図１の矢印２に従って、車両の内側から見た、同じバンパービームを示す。
【図３】取り付け部分を貫く拡大水平断面図である。
【図４】図１の矢印４−４に沿った断面図である。
【図５】図１及び図３の矢印５−５に沿った断面図である。
【図６】バンパービームの一部を形成する、補強材の斜視図である。
【発明を実施するための形態】
【０００５】
図面は、基本的にＵ字状の断面をしている、即ち、中央フランジ１２、及び、２つのウェブ１３，１４を有する、バー１１で構成されているバンパービームを示している。バー１１は、バーの幅がより広く、かつ、帽子の形状をしている、即ち、サイドフランジ１７，１８を有し、これらのサイドフランジが、さらに上方に曲がった端部２０、２１を有する、バーの中心に向かって小さくなっている、大きなウェブ高さを持つ、２つの取り付け部分１５，１６を有する。バーの中央フランジには、その全長にわたって、中心溝２２が設けられている。
【０００６】
図６は、帽子の輪郭形状をした、即ち、中央フランジ３０、２つのウェブ３１，３１、及び、２つのサイドフランジ３３，３４を有している、補強材／取り付け部材２９を示す。各サイドフランジは２つの取り付け孔３５，３６を有す。中央フランジも孔３７を有す。補強部材は、補強部材がバーに押し込まれ、バーと交差して取り付けけられた時、ウェブ３１，３２の側面端部３８がバー１１のウェブと、ぴったりと合う様に設計されている。側面端部３８は、熔接ビード３９，４０によって、バーのウェブ１３，１４に熔接され、取り付け部材のウェブ３１，３２は、図３及び５から明らかなように、バーにおける横隔壁を形成する。
【０００７】
バー１１の中央フランジ１２は、バンパービームを車両に固定する為に、孔４１を通して、ボルトとソケットレンチを通せるように、４つの取り付け孔３５，３６のすぐ前部に４つの孔４１を有す。あるいは、孔４１を通してナットをボルトにネジ止め出来る様に、車両に、ボルトを熔接付けさせてもよい。あるいは、補強部材２９の２つのサイドフランジ３３，３４は、別の方法で、車両に取り付けられてもよい。
【０００８】
取り付け部分１５，１６は、一体化されたクラッシュボックスとしての役割を果たし、それ以上のクラッシュボックスは、一般には必要でない。
【図１】
0005572558.tif 000002
【図２】
0005572558.tif 000003
【図３】
0005572558.tif 000004
【図４】
0005572558.tif 000005
【図５】
0005572558.tif 000006
【図６】
0005572558.tif 000007
(57)【特許請求の範囲】
【請求項１】
試料にＸ線を照射するＸ線管と、
前記試料から発生した蛍光Ｘ線を検出する検出器と、
前記検出器で検出した検出信号を処理するデータ処理装置と、を有する蛍光Ｘ線分析装置において、
前記データ処理装置は、
所定の領域のバックグラウンドの偏曲点に蛍光Ｘ線のピークを有さない基準試料で測定した蛍光Ｘ線のプロファイルから求めたバックグラウンド波形と積分範囲のデータと、定量分析対象の元素のピーク波形関数を記憶する記憶手段と、
前記元素を特定する元素特定手段と、
特定された前記元素に対応する前記バックグラウンド波形と前記積分範囲のデータと前記元素のピーク波形関数に基づくピーク波形を前記記憶手段から読みだし、前記バックグラウンド波形と前記ピーク波形を用いて前記試料の前記バックグラウンド波形と対応する領域のプロファイルを再現するように前記バックグラウンド波形と前記ピーク波形を変化させ、前記試料のバックグラウンド波形とピーク波形を分離し、分離したピーク波形の前記積分範囲での積分値を算出する演算手段と、を有する蛍光Ｘ線分析装置。
【発明の詳細な説明】
【技術分野】
【０００１】
本発明は、Ｘ線を照射した試料から発生する蛍光Ｘ線を解析することで、前記試料の定性・定量分析等を行う蛍光Ｘ線分析装置に関する。
【背景技術】
【０００２】
エネルギー分散型の蛍光Ｘ線装置で取得したスペクトルから特定元素から放射された蛍光Ｘ線の強度を算出するためには、蛍光Ｘ線ピーク波形とバックグラウンド波形を分離する必要がある。
【０００３】
従来は、ピークになっている部分の除去を繰り返すことによってバックグラウンド波形を生成し、蛍光Ｘ線ピーク波形とバックグラウンド波形の分離を行っていた（特許文献１参照）。
【先行技術文献】
【特許文献】
【０００４】
【特許文献１】特開平７−１４６２５８号公報
【発明の概要】
【発明が解決しようとする課題】
【０００５】
しかしながら、従来のピーク部分の除去を繰り返す方法では、蛍光Ｘ線ピーク波形がバックグランド波形の急激に変化する偏曲点付近に存在するとき、偏曲点の形状が蛍光Ｘ線ピーク波形により隠されてしまうため、バックグラウンド波形の正確に生成することが困難であり、バックグラウンドが大きめに生成されてしまうという課題があった。
【０００６】
この発明は、このような事情を考慮してなされたもので、その目的は、バックグラウンド波形の急激に変化する偏曲点付近に存在するスペクトルであっても、蛍光Ｘ線ピーク波形とバックグラウンド波形の適当な分離ができる装置を提供することである。
【課題を解決するための手段】
【０００７】
上記の目的を達成するために、この発明は以下の手段を提供している。典型的なバックグラウンド波形と強度を求めたい蛍光Ｘ線ピーク波形とそのピークの周辺にあり検出された複数の蛍光Ｘ線ピーク波形を使い、測定された波形を良く再現するようにバックグラウンド波形と蛍光Ｘ線ピーク波形の強度を変化させる。
そして、出来上がったスペクトルから、蛍光Ｘ線ピーク波形とバックグラウンド波形を分離する。
【発明の効果】
【０００８】
本発明に係る蛍光Ｘ線分析装置によれば、バックグラウンド波形の急激に変化する偏曲点付近に存在するスペクトルであっても、蛍光Ｘ線ピーク波形とバックグラウンド波形の適当な分離を図ることができる。
【図面の簡単な説明】
【０００９】
【図１】本発明の実施例を示す装置概略図である。
【図２】本発明の実施例を示す装置のブロック図である。
【図３】本発明の実施例を示すフローチャートである。
【図４】本発明の実施例を示すＸ線スペクトルである。
【発明を実施するための形態】
【００１０】
以下、本発明に係る蛍光Ｘ線分析装置の実施形態について説明する。
図１は本発明の蛍光Ｘ線分析装置の概略図で、Ｘ線管１１からＸ線１２が試料１３に照射され、発生した蛍光Ｘ線１４は検出器１５で検出された後、アンプ１６で増幅され、データ処理装置１に送られる。ここで、検出器１５は蛍光Ｘ線１４の波長を識別してその強度を電気信号として出力する。
【００１１】
図２はデータ処理装置１のブロック図である。１ａはＣＰＵで、種々の演算処理やメモリ１ｂ、ディスプレイ１ｃ、および元素特定手段１ｄに対して動作指示を行う。１ｂはメモリで、特定元素毎に予め求めたバックグラウンド関数および積分範囲を記憶する。１ｃはディスプレイで、対象となる試料について測定した蛍光Ｘ線からそのプロファイルデータ等の表示を行う。１ｄは元素特定手段で、ディスプレイ１ｃに表示されたプロファイルデータ等に基づいて定量分析すべき元素を特定し、その旨ＣＰＵ１ａに対して指示を与える。
【００１２】
図３は本発明による各元素の蛍光Ｘ線強度を求める手順を示すフローチャートである。まず、バックグラウンドの偏曲点に蛍光Ｘ線のピークがない基準試料を測定し、その偏曲点付近のバックグラウンドのプロファイルを得る（Ｓ１０１）。次に、定量を行う試料の測定を行い（Ｓ１０２）、定量分析を行う元素を特定する（Ｓ１０３）。定量元素の関数波形と対象試料の定性分析Ｓ１０２で得たバックグラウンド波形を用いて、蛍光Ｘ線ピーク波形とバックグラウンド波形を分離処理する（Ｓ１０４）。波形分離処理Ｓ１０４の結果から各元素の蛍光Ｘ線強度を求める。
【００１３】
図４（ａ）は従来法によるバックグラウンドの見積りである。本来のバックグラウンド波形Ｂ１の偏曲点Ｐ１に蛍光Ｘ線ピーク波形が重なっている波形Ｓ１の場合、従来のピーク除去部分の除去を繰り返し、バックグラウンド波形を生成する方法では、バックグラウンド波形Ｂ２のように、バックグラウンド波形が本来のバックグラウンド波形Ｂ１よりも大きめに生成される。そこで、図４（ｂ）に示すように、バックグラウンド波形の偏曲点付近に蛍光Ｘ線ピーク波形の存在しない基準試料で波形Ｓ２を取得する。基準試料としては、例えば、ポリエチレンを用いることができる。
【００１４】
波形Ｓ１を良く再現するように定量したい試料に含まれる蛍光Ｘ線ピークの関数波形と波形Ｓ２の強度を変化させる。そして、出来上がった波形から、蛍光Ｘ線ピーク波形Ｆ１とバックグラウンド波形Ｆ２を分離する。これにより蛍光Ｘ線ピーク波形とバックグラウンド波形を適当に分離することができる。
【符号の説明】
【００１５】
１…データ処理装置
１１…Ｘ線管
１２…Ｘ線
１３…試料
１４…蛍光Ｘ線
１５…検出器
１６…アンプ
【図１】
0005572438.tif 000002
【図２】
0005572438.tif 000003
【図３】
0005572438.tif 000004
【図４】
0005572438.tif 000005
(57)【特許請求の範囲】
【請求項１】
軽く弾力性が有り衝撃に強い密閉容器と、その密閉容器の内部に充填した空気よりも軽い不燃性ガスと、その容器と人体の双肩の脇の下、背中又は腰に接続可能な構造である接続帯を備え、密閉容器の上昇により人体の負担を軽減することを特徴とした負荷解消補助具。
【発明の詳細な説明】
【技術分野】
【０００１】本発明は赤ん坊を背負っている重く苦しい重圧感、並びに足腰が不自由で歩行に支障をきたして苦労している人たちの負担を解消することを目的とする負荷解消補助具の発明である。赤ん坊を背負って子守をしていても、赤ん坊が大きくなるに連れて重くなるに従ってその重圧感による疲労は大変なものである、そこでこの苦しみから逃れる方法はないものかと本出願人は日夜試行錯誤して研究を重ねた結果、この重苦しい重圧から解消できるのは空気よりも軽い不燃性のガスの活用が一番であるとの結論に達した、そこで弾力性が有り衝撃などの損傷に強い空気漏れのしない容器に不燃性のガスを充填すれば上昇力が発生する、以上のような構造の不燃性ガスが充填させた密閉容器を身体に接続帯で接続すれば、子守などの重労働や足腰に支障をきたして歩行が困難で人知れず苦労している人の不可は容易に引き上げられて解消できるので散歩や買い物などに行くことも極めてラッキーで楽しくなるという手軽で構造が簡単であり、且つ安価であることを最大の特徴とした負荷解消補助具を本日ここに提供するものである。
【背景技術】
【０００２】
【先行技術】
【０００３】
【発明の概要】
【０００４】赤ん坊を背負っている人達の重く苦しい重圧や、足腰が不自由で歩行に人知れず支障をきたして苦労している人達の負担を解放することを目的とする。
【発明を解決するための手段】
【０００５】軽く弾力性のある密閉容器を作成する、その密閉容器の内部に不燃性のガスと負荷がバランスを満たすように不燃性のガスを注入すれば上昇効果は抜群であり、その上昇する不燃性ガス入り容器と人体を接続すれば子供を背負っている重苦しい重労働、足腰が不自由で歩行に著しく支障をきたしている人たちの苦労を解消することを目的とした負荷解消具を負荷解消補助具と命名し、本日ここに提供するものである。
【０００６】上記、解決手段により今までの苦労を解消することが出来たのが本願である。
【発明の効果】
【０００７】前述のように、本発明は軽く弾力性があり丈夫で頑丈な不燃性ガスが漏れにくい密閉容器の内部に不燃性ガスを充填する、その充填された不燃性ガスの上昇力により密閉容器は宙に浮くので人体とドッキングする構造にすれば、重い子供を背負っている苦しみや、足腰が不自由で歩行に支障をきたしている人達に密閉容器内の不燃性ガスの上昇力により、重く辛い負担を引き上げて解放するという構造原理であり、その効果を特徴とした負荷消補助具である。
【図面の簡単な説明】
【０００８】
【図１】は本発明を着用して子供を背負っている母親を示す斜視図、
【図２】は足腰が不自由で歩行に支障をきたしているが、本発明を着用することにより今までの重く辛い苦しみから解放され笑顔で散歩していることを示す斜視図、
【符号の説明】（１）は不燃性ガスが充填した状態の密閉容器、（２）は密閉容器内に充填されている不燃性ガス、（３）は不燃性ガスちゅうにゅう及び排気口、４）は接続帯  （５）は子供を背負っている母親、並びに足腰不自由な負荷が解消して解消して健康の為に散歩している老人、（６）は母親に背負われている子供、
【図１】
0005626664.tif 000002
【図２】
0005626664.tif 000003
(57)【特許請求の範囲】
【請求項１】
絶縁基板と、
前記絶縁基板の上に形成された金属パターンと、
前記金属パターンの上に固定された電力端子と、
前記金属パターンの上に固定された複数のパワーチップと、
前記電力端子と前記複数のパワーチップの間の前記金属パターンの上に形成された、部品が固定されず表面に露出したはんだと、を備え、
前記複数のパワーチップのすべてが、前記電力端子と熱絶縁される距離だけ前記電力端子から離れたことを特徴とする半導体装置。
【請求項２】
前記金属パターンは銅で形成されており、
前記パワーチップはＩＧＢＴチップ又はダイオードチップであり、
前記電力端子と、前記複数のパワーチップのうち前記電力端子と最も近接するパワーチップとの距離は、５ｍｍ以上であることを特徴とする請求項１に記載の半導体装置。
【発明の詳細な説明】
【技術分野】
【０００１】
本発明は、例えば、産業機器のモータ制御などに用いられる半導体装置に関する。
【背景技術】
【０００２】
特許文献１には、金属パターンを介して電力端子とパワーチップが接続された半導体装置が開示されている。
【先行技術文献】
【特許文献】
【０００３】
【特許文献１】特開２０００−３０７０５８号公報
【発明の概要】
【発明が解決しようとする課題】
【０００４】
パワーチップで発生した熱が金属パターンを介して電力端子に伝わり、電力端子が高温になることがあった。
【０００５】
本発明は、上述のような課題を解決するためになされたもので、電力端子が高温になることを防止できる半導体装置を提供することを目的とする。
【課題を解決するための手段】
【０００６】
本願の発明に係る半導体装置は、絶縁基板と、該絶縁基板の上に形成された金属パターンと、該金属パターンの上に固定された電力端子と、該金属パターンの上に固定された複数のパワーチップと、該電力端子と該複数のパワーチップの間の該金属パターンの上に形成された、部品が固定されず表面に露出したはんだと、を備える。そして、該複数のパワーチップのすべてが、該電力端子と熱絶縁される距離だけ該電力端子から離れたことを特徴とする。
【発明の効果】
【０００７】
本発明によれば、電力端子とパワーチップを熱絶縁するので電力端子が高温になることを防止できる。
【図面の簡単な説明】
【０００８】
【図１】本発明の実施の形態に半導体装置の平面図である。
【図２】図１のＩＩ−ＩＩ断面矢示図である。
【図３】電力端子の温度と距離Ｌとの関係を示すグラフである。
【図４】電力端子とＩＧＢＴチップの間に、はんだを介して放熱体を固定したことを示す断面図である。
【発明を実施するための形態】
【０００９】
実施の形態．
図１は、本発明の実施の形態に係る半導体装置の平面図である。半導体装置１０は、ケース１２を備えている。ケース１２にはＣｕベース１４が固定されている。Ｃｕベース１４の上には複数の絶縁基板１６が固定されている。絶縁基板１６はＡｌＮセラミックで形成されている。絶縁基板１６の上には金属パターン１８が形成されている。金属パターン１８は銅で形成されたパターンである。
【００１０】
金属パターン１８の上にはＩＧＢＴチップ２０が固定されている。また、金属パターン１８の上にはダイオードチップ２２が固定されている。これらははんだにより固定されている。金属パターン１８、ＩＧＢＴチップ２０、及びダイオードチップ２２はワイヤ２４により電気的に接続されている。ＩＧＢＴチップ２０とダイオードチップ２２をパワーチップと称することがある。金属パターン１８の表面のはんだのうち、パワーチップの固定に用いられず表面に露出したものは、はんだ１９で示されている。
【００１１】
金属パターン１８の上にははんだ２５を介して電力端子２６が固定されている。電力端子２６は半導体装置１０の主電流を流す端子である。ケース１２の側面には信号端子２８が固定されている。信号端子２８はＩＧＢＴチップ２０のゲートと接続されている。
【００１２】
図２は、図１のＩＩ−ＩＩ断面矢示図である。電力端子２６ははんだ２５を介して金属パターン１８に固定されている。ＩＧＢＴチップ２０ははんだ２１を介して金属パターン１８に固定されている。電力端子２６と、電力端子２６に最も近接するパワーチップ（ＩＧＢＴチップ２０）は５ｍｍだけ離れている。図２では電力端子２６とパワーチップの最短距離は距離Ｌ（５ｍｍ）で示されている。本発明の実施の形態１に係る半導体装置はパワーチップを複数有するが、その全てのパワーチップが、最も近接する電力端子２６と５ｍｍ以上離れている。
【００１３】
図３は、電力端子２６の温度と距離Ｌとの関係を示すグラフである。距離Ｌが５ｍｍより小さいと、距離Ｌが小さくなるほどパワーチップの発熱の影響を受け電力端子２６の温度が上がる。一方、距離Ｌが５ｍｍ以上であると、電力端子２６の温度と距離Ｌの有意な相関が無くなる。従って、距離Ｌが５ｍｍ以上であると電力端子２６とＩＧＢＴチップ２０を熱絶縁できる。なお、本発明における「熱絶縁」とは完全に伝熱を遮断するものではなく、伝熱を実用上十分に抑制するものである。
【００１４】
電力端子２６の温度上昇の要因は、電力端子２６に流す大電流と、パワーチップからの熱伝導である。これらの要因により電力端子の温度が上昇し電力端子が高温となることがあった。ところが、本発明の実施の形態に係る半導体装置１０によれば、電力端子２６とパワーチップを熱絶縁しているのでパワーチップからの熱伝導による電力端子２６の温度上昇を抑制できる。よって、電力端子２６が高温になることを防止できる。
【００１５】
本発明は、複数のパワーチップのすべてが、電力端子２６と熱絶縁される距離だけ電力端子２６から離れていることを特徴とするものである。ゆえに、パワーチップはＩＧＢＴチップ２０とダイオードチップ２２に限定されず、これらのうちの一方であってもよいし、他の発熱するチップであってもよい。また、金属パターン１８の材料もＣｕに限定されない。
【００１６】
また、本発明は、電力端子と、これに最も近接するパワーチップの距離が５ｍｍ以上であることに限定されない。パワーチップと電力端子を熱絶縁するために必要な距離は、金属パターンの材質やパワーチップの到達温度などを考慮して定めればよい。
【００１７】
本発明の実施の形態に係る半導体装置１０は図２に示すように、電力端子２６とＩＧＢＴチップ２０の間は、はんだ１９が形成されているものの部品が固定されないデッドスペースとしたが本発明はこれに限定されない。たとえば、電力端子２６とパワーチップの間の金属パターン１８に放熱体を固定してもよい。図４は、電力端子２６とＩＧＢＴチップ２０の間の金属パターン１８に、はんだ１９を介して放熱体４０を固定したことを示す断面図である。放熱体４０は冷却フィンで形成されている。放熱体４０により距離Ｌを短くしつつ電力端子２６とＩＧＢＴチップ２０の熱絶縁できる。
【符号の説明】
【００１８】
１０  半導体装置、  １２  ケース、  １４  Ｃｕベース、  １６  絶縁基板、  １８  金属パターン、  １９  はんだ、  ２０  ＩＧＢＴチップ、  ２２  ダイオードチップ、  ２４  ワイヤ、  ２６  電力端子
【図１】
0005626087.tif 000002
【図２】
0005626087.tif 000003
【図３】
0005626087.tif 000004
【図４】
0005626087.tif 000005
(57)【特許請求の範囲】
【請求項１】
両短辺両端が閉じた長方形状のビニール袋の両端に取っ手（４）を設けた本体（１）であり、本体上面ほぼ中央に開口部（３）が設けられ、開口部（３）のふち周り全周には縁取り粘着テープＡ（５）が取り付けられ、ビニール袋本体両端、表側に粘着テープＢ（６）を設けたことを特徴とする使い捨て排尿袋。
【発明の詳細な説明】
【技術分野】
【０００１】  介護用品の中で複数の製品が見られるが、排泄用品の選択肢の一つとして、取扱いの便宜上、グリップが設けられ、ビニール質で袋状の、粘着テープとのコラボレーションによる、ディスポーザブル用品に関する使い捨て排尿袋である。
【背景技術】
【０００２】  ミニトイレやおむつなどがある。
【発明の概要】
【発明が解決しようとする課題】
【０００３】  しかしながら、ミニトイレを利用する場合、使用者の手足が不自由であると、使用開始から終了までの間に不全さが多い。
また、おむつの場合、比較的嵩張りがあるので廃棄の総量も大きくなる。
【課題を解決するための手段】
【０００４】  長方形状のビニール袋の両端に取っ手（４）を設けた本体（１）であり、本体上面ほぼ中央に開口部（３）が設けられ、開口部（３）のふち周り全周には縁取り粘着テープが取り付けられていることを特徴とする使い捨て排尿袋。
【発明の効果】
【０００５】  製品本体の材質はビニール質であることによる柔軟性が、ベッドサイドやベッド上での狭い空間に於いてもフレキシブルな対応を可能にするのでハンディーである。また、ディスポーザブル用品であることから密閉や密封を必要とする操作処理にも縁取りの粘着テープとのコラボで、ほとんどワンタッチで行える簡易性を持つ。【０００６】  在宅では高齢者等の対応にも役立つ。
洗浄や消毒等を要する容器の手間や時短は、介護負担の軽減につながる。
離床希望があっても動作時の痛み、また体調の良し悪しによっても、トイレットルームまでの距離感がある時等はベッドサイド周辺でのサポート、スクリーンの設定等があればおむつに頼らない選択肢になる。
【図面の簡単な説明】
【０００７】
【図１】  本発明の斜視図である
【発明を実施するための形態】
【０００８】  長方形状のビニール袋の両端に取っ手（４）を設けた本体（１）であり、本体上面ほぼ中央に開口部（３）が設けられている。
本体は、両短辺両端が閉じた形態で側辺にマチ部（２）を設けることにより、広がりに多少の機能性が得られる。また、両端の取っては環状に取りつけられている。
開口部（３）のふち周りには縁取り粘着テープＡが取り付けられ、ビニール袋本体両端、表側すなわち開口部を設けている側に粘着テープＢを設けている。
本体（１）には付属品として、吸収、凝固、抗菌、消臭等に資するパックが添付される。
本発明は以上の構成によりなる使い捨て排尿袋である。
【０００９】  本発明を使用する時の関連事項。
縁取り粘着テープＡ（開口部）の仕様は、アレルギーや違和感等のない場合は貼付が可能である。縁取り粘着テープ（開口部）の最初の使用は、シールを少しずつ剥しながら局所（陰茎、会陰、肛門等）の周囲の表皮面に合せて、開口部の粘着テープを密着していく。排泄終了後は、剥離後には前記開口部が閉口部となるテープを、皮膚を保護しながら静かに剥がして、粘着テープＡ（１）の上下辺または左右辺を合せて閉じる。開口部のシールを剥がさずに使用する粘着テープＢ（６）の使用時と、また取っ手（５）のみによる排泄終了後は前記の開口部のシールは閉口時の閉じるための取扱いとなる。
【００１０】  布粘着テープの仕様は、直接肌への接触を行わない場合のチョイスとして、衣類等を利用しての取扱いとなる。シャツ、腹巻き、ロンパース様に下端がカットされた開きのあるデザインは参考になる。また、和服用のソフトな腰紐等も動きが上下左右、自由になるので設定が容易であり、結び目に難がある時は当所を面ファスナー等に代替することができる。
【００１１】  ロコモ的に問題がなく、括約筋のコントロールが可能であり、局所周辺の皮膚面と袋の開口部間とのフィット性が良好であるなら、動作がスムーズに行える取っ手のみと袋との採取方法は、敢えてテープ等に依存することのないチョイスになる。
【００１２】  介助の必要なく自立で行えるならば、自らは局所への下方後方への視界が制限されているので、立位の体位による取扱いは安定性があり、インスタント処理に適する場合がある。
【００１３】  採取は、ロコモ的に課題がなければ、採尿の体位は立位、採便の場合はスクワットで、しゃがんだ姿勢は適用になる。
【００１４】  座位臥位等の場合は、出来るのなら排泄によるビニール袋の外側は言うまでもなく、内側上部の辺りの汚染からも避けられるならば、開口部（３）のテープによる密閉が終わるまでは、局所周辺の肌への清潔が保たれるように汚物による皮膚面への刺激が防げる工夫ができるとよい。多少のハード面での改良が必要となる場合も考えられる。
【００１５】  実施の際のケアの対応には、仕様開始から終了まで汚物処理であるので、細心さと、配慮が要求される。
【符号の説明】
【００１１】１  本体、２  マチ部、３  開口部、４  取っ手、５  粘着テープＡ、６  粘着テープＢ
【要約】
【課題】  ミニトイレを利用する場合、使用者の手足が不自由であると、使用開始から終了までの間に不全さの場合がある。
また、おむつの場合、比較的嵩張りがあるので廃棄の総量も大きくなる。
【解決手段】長方形状のビニール袋の両端に取っ手（４）を設けた本体（１）であり、本体上面ほぼ中央に開口部（３）が設けられ、開口部（３）のふち周り全周には縁取り粘着テープＡ（５）が取り付けられていることを特徴とする使い捨て排尿袋。
【選択図】図１【図１】
0005626553.tif 000002
(57)【特許請求の範囲】
【請求項１】
熱交換器上に、太陽電池素子とラミネート材とを積層載置してラミネートする太陽電池モジュールの製造装置において、
前記熱交換器を、入口端面及び前記入口端面に対向する出口端面を有する金属製の平板状として、前記熱交換器の内部に、前記入口端面と前記出口端面とを連通する複数の通路を形成し、
前記熱交換器の前記入口端面側に、前記通路に蒸気を供給する入口ヘッダーを設け、
前記入口ヘッダーを複数領域に分割し、分割された領域毎に、前記複数の通路の一部に加熱用の蒸気を供給する蒸気供給管をバルブを介して接続すると共に、
前記出口端面側の前記複数の通路に出口ヘッダーを設け、
前記出口ヘッダーに、蒸気の凝縮した復水を外部へ排出する復水排出通路を接続したこと
を特徴とする太陽電池モジュールのラミネート装置。
【発明の詳細な説明】
【技術分野】
【０００１】
本発明は、太陽電池素子を、透光性基板や充填材や裏面材などのラミネート材で、ラミネート状に製造する太陽電池モジュールのラミネート装置に関する。
【背景技術】
【０００２】
シリコン基板で作成される太陽電池素子は、物理的強度が弱いために、熱交換器上でラミネート材により多層状にラミネートされて太陽電池モジュールが製作される。
【０００３】
従来の太陽電池モジュールのラミネート装置は、熱交換器での加熱用の熱源として、電気ヒータを使用しているために、太陽電池モジュールに加熱ムラを発生して、太陽電池モジュールの絶縁不良や耐久性が低下してしまう問題があった。これは、一般的に電気ヒータの加熱容量は充分ではなく、特に大面積の太陽電池モジュールの場合に加熱ムラを発生してしまうのである。
【先行技術文献】
【特許文献】
【０００４】
【特許文献１】特開２００４−３１７３９
【発明の概要】
【発明が解決しようとする課題】
【０００５】
解決しようとする問題点は、熱交換器から必要充分な熱量を太陽電池モジュールへ供給することによって、太陽電池モジュールで加熱ムラを発生することのない太陽電池モジュールのラミネート装置を得ることである。
【課題を解決するための手段】
【０００６】
本発明は、熱交換器上に、太陽電池素子とラミネート材を積層載置してラミネートする太陽電池モジュールの製造装置において、熱交換器を金属製の平板状として、当該熱交換器の内部に複数の通路を形成し、当該複数の通路に加熱用の蒸気を供給する蒸気供給管を接続すると共に、上記複数の通路に、蒸気の凝縮した復水を外部へ排出する復水排出通路を接続したものである。
【発明の効果】
【０００７】
本発明は、熱交換器に蒸気供給管を接続したことにより、蒸気の保有する大きな熱量でもって太陽電池モジュールを加熱することができ、太陽電池モジュールの加熱ムラを防止することができる。
【図面の簡単な説明】
【０００８】
【図１】本発明に係る太陽電池モジュールのラミネート装置の実施例を示す構成図である。
【発明を実施するための形態】
【０００９】
本発明は、熱交換器を金属製の平板状として内部に複数の通路を形成するものであるが、通路の形状は金属性平板の大きさや形状に応じて適宜選定することができる。
【実施例】
【００１０】
図１において、蒸気供給管６と、平板状の熱交換器１と、熱交換器１の下方に配置した蒸気トラップ１１及び開閉弁１２とで太陽電池モジュールのラミネート装置を構成する。
【００１１】
熱交換器１は、金属製の平板状で内部に複数の通路８を有する。熱交換器１の入口側に、加熱用の蒸気を一旦溜め置き、通路８へ供給する入口ヘッダー２を設けると共に、熱交換器の出口側には出口ヘッダー３を取り付ける。熱交換器１の大きさは、太陽電池モジュールの大きさによるが、本実施例では縦横が１メートルのものとする。
【００１２】
入口ヘッダー２を三分割して、それぞれバルブ２１，２２，２３を介して加熱用の蒸気を供給するための蒸気供給管６を接続する。蒸気供給管６には、熱交換器１へ供給する蒸気の量を制御するための制御弁７を取り付けると共に他端部は図示しない蒸気ボイラー等の蒸気源と接続する。蒸気供給管６から熱交換器１へ供給される加熱用の蒸気によって熱交換器１が加熱される。
【００１３】
出口ヘッダー３の底部に復水排出通路１０を取り付けて、蒸気トラップ１１と開閉弁１２を並列に取り付ける。蒸気トラップ１１は、蒸気は排出することがなく、蒸気の凝縮した復水だけを排出する機能を有する自動弁の一種である。
【００１４】
熱交換器１を加熱する場合は、蒸気供給管６と制御弁７から熱交換器１の通路８へ所定量の蒸気を供給することによって、蒸気によって加熱される。加熱により凝縮した復水は、熱交換器１下端の出口ヘッダー３と復水排出通路１０から蒸気トラップ１１を通り、外部へ排出される。
【産業上の利用可能性】
【００１５】
太陽電池モジュールをラミネートする装置として適用できる。
【符号の説明】
【００１６】
１  熱交換器
２  入口ヘッダー
３  出口ヘッダー
６  蒸気供給管
８  通路
１０  復水排出通路
１１  蒸気トラップ
１２  開閉弁    
【図１】
0005502587.tif 000002
(57)【特許請求の範囲】
【請求項１】
熱交換器上に、太陽電池素子とラミネート材とを積層載置してラミネートする太陽電池モジュールの製造装置において、
前記熱交換器を、入口端面及び前記入口端面に対向する出口端面を有する金属製の平板状として、前記熱交換器の内部に、前記入口端面と前記出口端面とを連通する複数の通路を形成し、
前記熱交換器の前記入口端面側に、前記通路に蒸気又は冷却流体を供給する入口ヘッダーを設け、
前記入口ヘッダーを複数領域に分割し、分割された領域毎に、前記複数の通路の一部に加熱用の蒸気を供給する蒸気供給管をバルブを介して接続するとともに、前記複数の通路の一部に冷却用の冷却流体を供給する冷却流体供給管を前記バルブを介して接続し、
前記出口端面側の前記複数の通路に出口ヘッダーを設け、
前記出口ヘッダーに、前記複数の通路内を所定の低圧状態に維持するための真空吸引手段を接続したこと
を特徴とする太陽電池モジュールのラミネート装置。
【発明の詳細な説明】
【技術分野】
【０００１】
本発明は、太陽電池素子を、透光性基板や充填材や裏面材などのラミネート材で、ラミネート状に製造する太陽電池モジュールのラミネート装置に関する。
【背景技術】
【０００２】
シリコン基板で作成される太陽電池素子は、物理的強度が弱いために、熱交換器上でラミネート材により多層状にラミネートされて太陽電池モジュールが製作される。
【０００３】
従来の太陽電池モジュールのラミネート装置は、熱交換器での加熱用の熱源として、電気ヒータを使用しているために、太陽電池モジュールに加熱ムラを発生して、太陽電池モジュールの絶縁不良や耐久性が低下してしまう問題があった。これは、一般的に電気ヒータの加熱容量は充分ではなく、特に大面積の太陽電池モジュールの場合に加熱ムラを発生してしまうのである。
【先行技術文献】
【特許文献】
【０００４】
【特許文献１】特開２００４−３１７３９
【発明の概要】
【発明が解決しようとする課題】
【０００５】
解決しようとする問題点は、熱交換器から必要充分な熱量を太陽電池モジュールへ供給することによって、太陽電池モジュールで加熱ムラを発生することのない太陽電池モジュールのラミネート装置を得ることである。
【課題を解決するための手段】
【０００６】
本発明は、熱交換器上に、太陽電池素子とラミネート材を積層載置してラミネートする太陽電池モジュールの製造装置において、熱交換器を金属製の平板状として、当該熱交換器の内部に複数の通路を形成し、当該複数の通路に加熱用の蒸気を供給する蒸気供給管を接続し、熱交換器内を所定の低圧状態に維持するための真空吸引手段を接続すると共に、上記複数の通路に冷却用の冷却流体を供給する冷却流体供給管を接続したものである。
【発明の効果】
【０００７】
本発明は、熱交換器に蒸気供給管を接続したことにより、蒸気の保有する大きな熱量でもって太陽電池モジュールを加熱することができ、太陽電池モジュールの加熱ムラを防止することができる。
【図面の簡単な説明】
【０００８】
【図１】本発明に係る太陽電池モジュールのラミネート装置の実施例を示す構成図である。
【発明を実施するための形態】
【０００９】
本発明は、熱交換器内を所定の低圧状態に維持するために真空吸引手段を接続するものであるが、この真空吸引手段としては、水エゼクターと循環ポンプを組み合わせたエゼクター・ポンプを用いることができる。
【実施例】
【００１０】
図１において、平板状の熱交換器１と、熱交換器１の下方に配置した真空吸引手段５とで太陽電池モジュールのラミネート装置を構成する。
【００１１】
熱交換器１は、金属製の平板状で内部に複数の通路８を有する。熱交換器１の入口側に、加熱用の蒸気や冷却用の冷却流体を一旦溜め置き、通路８へ供給する入口ヘッダー２を設けると共に、熱交換器の出口側には出口ヘッダー３を取り付ける。熱交換器１の大きさは、太陽電池モジュールの大きさによるが、本実施例では縦横が１メートルのものとする。
【００１２】
入口ヘッダー２を三分割して、それぞれバルブ２１，２２，２３を介して加熱用の蒸気を供給するための蒸気供給管６を接続する。蒸気供給管６には、熱交換器１へ供給する蒸気の量を制御するための制御弁７を取り付けると共に他端部は図示しない蒸気ボイラー等の蒸気源と接続する。蒸気供給管６から熱交換器１へ供給される加熱用の蒸気によって熱交換器１が加熱される。
【００１３】
出口ヘッダー３の底部に接続管路１０を取り付けて、真空吸引手段５と接続する。接続管路１０には、蒸気トラップ１１と開閉弁１２を並列に取り付ける。蒸気トラップ１１は、蒸気は排出することがなく、蒸気の凝縮した復水だけを排出する機能を有する自動弁の一種である。
【００１４】
真空吸引手段５を、水エゼクター１３と冷却水タンク１４と循環ポンプ１５とで構成したエゼクター・ポンプとする。循環ポンプ１５の吐出管路１６を、管路１７を介在して水エゼクター１３と接続し、管路１８を介在して熱交換器１の入口ヘッダー２と接続し、更に、管路１９を余剰水排出管とする。冷却水タンク１４の上部に、冷却水補給管２０を接続する。管路１８にはバルブ４を取り付ける。
【００１５】
真空吸引手段５は、循環ポンプ１５の駆動によって冷却水タンク１４内の冷却水を管路１７から水エゼクター１３へ供給することによって、水エゼクター１３で所定の真空吸引力を発生するものである。また、循環ポンプ１５の駆動によって管路１８から熱交換器１内へ冷却水を供給する。
【００１６】
熱交換器１を加熱する場合は、蒸気供給管６と制御弁７から熱交換器１の通路８へ所定量の蒸気を供給することによって、蒸気によって加熱される。加熱により凝縮した復水は、熱交換器１下端の出口ヘッダー３と接続管路１０から蒸気トラップ１１を通り、更に、水エゼクター１３から冷却水タンク１４へと至る。
【００１７】
真空吸引手段５を駆動することにより、熱交換器１の内部を大気圧以下の真空減圧状態とすることができ、蒸気供給管６から供給する蒸気の圧力も大気圧以下とすることで、１００℃以下の温度でも蒸気によって加熱することができる。
【００１８】
熱交換器１を冷却する場合は、管路１８から所定量の冷却水を入口ヘッダー２から熱交換器１の通路８へ供給することで、真空状態に維持された通路１内で速やかに冷却水が蒸発気化して、その蒸発潜熱でもって冷却することができる。
【００１９】
冷却により蒸発した気化蒸気と、蒸発しきれなかった冷却水は、蒸気トラップ１１と開閉弁１２から水エゼクター１３に吸引されて冷却水タンク１４に至る。
【産業上の利用可能性】
【００２０】
太陽電池モジュールをラミネートする装置として適用できる。
【符号の説明】
【００２１】
１  熱交換器
２  入口ヘッダー
３  出口ヘッダー
５  真空吸引手段
６  蒸気供給管
８  通路
１１  蒸気トラップ
１２  開閉弁
１３  水エゼクター
１４  冷却水タンク
１５  循環ポンプ
１６  吐出管路
【図１】
0005502586.tif 000002
(57)【特許請求の範囲】
【請求項１】
合成樹脂の除雪器具本体（１）の右側面の上に右側面板（２）を垂直に取り付け，
左側の上に左側面板（３）を垂直に取り付け，後部面にも上に後部面板（ ４）を
同じ要領で取り付け，右側面板（２），左側面板（３），後部面板（４）は，取っ手
先端（６）にそれぞれ蝶つがい（８）で固定し，更に右側面板（２）と後部面板（４）
は金具（７）で固定し，左側面板（３）と後部面板（４）も金具（７）で固定でき
るようにして，雪の量が多く入るようにして，作業が終わり邪魔なときは長い取手
は根元から折りたためる構造とし，春になって積む雪の量を調節できる除雪器具が
不必要になった時はそれぞれの金具を簡単に取り外せる構造のため，左側面板（３）と右側面板（２）は外側に，後部面板（４）は内側に折りたたんで収納できることを特徴とする積む雪の量を調整できる除雪器具。
【発明の詳細な説明】
【技術分野】
【０００１】
本発明は，冬期間の積雪の際に、路上の雪を取り除き通行に支障がないようにするための除雪器具に関するものである。
【背景技術】
【０００２】
従来，雪の降る地方では雪を押し集める除雪器具は既にあるが，女性が使用する程度の簡単な構造のもので各企業や一般家庭で使用している。
【先行技術文献】
【特許文献】
【０００３】
【特許文献１】特開２０１１−１０６２２１号広報ＤＢ
【特許文献２】特開２００６−０９０００４号広報ＤＢ
【発明の概要】
【発明が解決しようとする課題】
【０００４】
降った雪を取り除いて，人の通行に支障がないようにするためには，ママさんダンプ（商標登録）は除雪用器具として雪の降る地方では欠かせないものである。
しかしママさんダンプ（商標登録）は積む雪の量が少なく時間がかかり能率が悪い。
また折角ママさんダンプ（商標登録）に沢山雪を積み上げても、運んでいるうちに雪が横から落ちこぼれる。
これは解決しなければならない重要な課題であると考える。
除雪のプロでも精力的に使えるような雪の量にすることは出来ないかと考えこれらの問題を解決するためになされたものである。
【課題を解決するための手段】
【０００５】
課題を解決するために本発明は，以下の構成とした。
合成樹脂の除雪器具本体（１）の右側面の上に垂直に右側面板（２）を取り付け，
左側面の上にも垂直に左側面板（３）を取り付け，後部面の上にも同じ要領で後部
面板（４）をそれぞれ取り付け，その３面は取手先端（６）に蝶つがい（８）で固
定し，右側面板（２）と後部面板（４），左側面板（３）と後部面板（４）はそれ
ぞれ金具（７）で固定する。
除雪器具に雪の量が多く入るようにして，それぞれの取り付けた板が不要なときは，折りたためる構造にした。また物置にしまう時に小型化するために取っ手も根元
から折りたためる構造にした。濡れ雪でも耐えられるように材質は合成樹脂とした。
女性でも老人でも，使用できることと又，除雪を職業としているプロが使っても能
率が上がり極めて重宝な構造とした。
図３のように長い取っ手は根元から折りたためる構造にしてあるが、春になってこの除雪器具が不必要になった時は，図４のように金具（７）を外しただけで右側面板（２）は外側に，左側面板（３）も外側に，後部面板（４）は内側に自然に畳む事が出来る。取っ手先端部と左・右・後部板を固定させている６箇所の蝶つがい（８）を取り外し，解体して収納することもできる構造とした。
【発明の効果】
【０００６】
イ，腕力のない女性や老人でも使用できる。
ロ，積雪の多いときに短時間で除雪を終了させることが出来る。
ハ，除雪を仕事として働いている人達には特に能率を上げる事ができる。
ニ，春になって除雪の必要がなくなったら解体して小さくして収納できる。
【図面の簡単な説明】
【０００７】
【図１】雪を積んだ状態の斜視図
【図２】雪を下ろした状態の斜視図
【図３】左右後部板の金具を外し取っ手を折りたたんだ説明図
【図４】左右後部板の金具を外した平面説明図
【図５】組み立てた状態の正面図
【図６】左側面板と後部面板を固定する金具を取り外し後の拡大説明図
【発明を実施するための形態】
【０００８】
合成樹脂の除雪器具本体（１）の右側面の上に長方形で前面を切り落とした右側面（２）を取っ手先端（６）に蝶つがい（８）で垂直に取り付ける。
左側面の上にも長方形で前面を切り落とした左側面板（３）を取っ手先端（６）に蝶つがい（８）で垂直に取り付ける。
後部面の上には長方形の後部面板（４）を取っ手先端（６）の後部に蝶つがい（８）で垂直になるように取り付ける。この時、左右両面板は左右両外側に倒れるように、後部面板は内側に倒れるように蝶つがいをとりつける。
また，右側面板（２）と後部面板（４），左側面板（３）と後部面板（４）はそれ
ぞれ金具（７）で固定する。
これにより高さの延長で本発明の除雪器具は雪の入る容積が大きくなったため，雪の入る量が多くなり作業能率が上がる。
除雪作業が終わって  物置にしまう時は，折りたためる構造にした。
即ち、図４のように両側面板は左右外に倒し、後部面板及び取っ手は前方に倒す構造とした。また雪でも耐えられるように材質は合成樹脂とした。
春になってこの除雪器具が不必要になった時は取っ手先端部と左・右・後部板を固定させている６箇所の蝶つがい（８）を取り外し，解体して収納することもできる構造とした。
【符号の説明】
【０００９】
（１）  合成樹脂の除雪器具本体
（２）  右側面板
（３）  左側面板
（４）  後部面板
（５）  取っ手
（６）  取っ手先端部
（７）  後部面板と左右側面板を固定する金具
（８）  後部面板・左右側面板と取っ手先端を固定する蝶つがい
【図１】
0005502944.tif 000002
【図２】
0005502944.tif 000003
【図３】
0005502944.tif 000004
【図４】
0005502944.tif 000005
【図５】
0005502944.tif 000006
【図６】
0005502944.tif 000007
(57)【特許請求の範囲】
【請求項１】
車のハンドルに取り付けるハンドル用簡易テーブルにあって、物を載置する板状の載置部と前記載置部の一辺より延設された、載置部より面積の小さい板状の挿入部と、から成り、挿入部先端に差し込み部、前記挿入部左右の辺にハンドル当たり部を備え、ハンドル・リング内側に前記挿入部を挿入して、ハンドルとボスとの間に前記差し込み部を差し込み、ハンドル・リング内周面に前記ハンドル当たり部をそれぞれ当て前記載置部を係止し、前記差し込み部は係止した時、外れ難くなるように上方に角度をつけ又前記ハンドル当たり部も係止時前記ハンドル・リング内周面に傷をつけない為と、さらに安定するように当たり部外周縁に沿って緩衝部材を備えたハンドル用簡易テーブル。
【請求項２】
載置部の外周縁に沿って、上方に突設されたこぼれ止めを備えた請求項１に記載のハンドル用簡易テーブル。 
【発明の詳細な説明】
【技術分野】
【０００１】
本発明は、自動車等の運転席において、ハンドルに邪魔される事無く楽に簡単に、上に置いた物がすべり落ちることなく食事・本読み・書き物ができる様に工夫したものである。
【背景技術】
【０００２】
従来、落下防止が無く、上面が平らなもの（特許文献１）があった。
【特許文献１】特開２０１０−７６６９３
【発明の開示】
【発明が解決しようとする課題】
【０００３】
しかしながら、従来の技術では、上に置いた物がすべって落下するとゆう難点があった。
【課題を解決するための手段】
【０００４】
本発明は、車のハンドルに取り付けるハンドル用簡易テーブルにあって、物を載置する板状の載置部と前記載置部の一辺より延設された、載置部より面積の小さい板状の挿入部とから成り、挿入部先端に差し込み部、前記挿入部左右の辺にハンドル当たり部を備え、ハンドル・リング内側に前記挿入部を挿入して、ハンドルとボスとの間に前記差し込み部を差し込み、ハンドル・リング内周面に前記ハンドル当たり部をそれぞれ当て前記載置部を係止することで、上に載置した物が滑り落ちる事が無い事を特徴とする、ハンドル用簡易テーブルを提供することにより、上記課題を解決するものである。
【発明の効果】
【０００５】
請求項１の発明によれば、自動車等の運転席において、ハンドルに邪魔される事無く、食事・本読み・書き物が容易にかつ楽にできる。
【発明を実施するための最良の形態】
【０００６】
図面を参照して本発明の形態を説明する。
図１、図２、図３に示すように、本発明のハンドル用テーブル本体１は、各辺３００ｍｍの四角い板状の材料（１）を凸型に切断、以下凸型の横幅の狭い部分を挿入部５、横幅の広い部分を載置部４とする。全ての角を角より縦・横３０ｍｍの位置の点と点を結んだ線上より切り離す、凸型の挿入部５上辺を幅１０ｍｍで２０度上方に折り曲げるホーン下部差し込み部２、挿入部５の左右の辺を幅１０ｍｍで３０度上方に折り曲げるハンドル当たり部３、載置部４の左右の辺及び下辺を幅１０ｍｍで３０度上方に折り曲げるこぼれ止め６を備える。図４に示すように、車の走行中、直進時ハンドル・リングはメーター全てがよく見える様に、空間の広い部分が上方になっている、本テーブル使用時は車を停止し、ハンドル・リングの空間の広い部分を下方に回し止める。前記下方に回した広い部分のハンドル・リングの内周面に挿入部左右の幅１０ｍｍで３０度上方に折り曲げ強度の増した辺の裏側の下部に近い部分のハンドル当たり部３に当て、さらにホーン下部差し込み部２としてもうけた、幅１０ｍｍで２０度上方に折り曲げた部分をホーン下部とボスの隙間に差し込む事により、テーブルが外れ難くなり安定する様に、開発したこの製品は、自動車等車両のハンドル部に簡単に装着でき、食事・本読み・メモ書き等が、容易にかつ楽に又上に乗せた物が滑り落ちる事なく出来る事を特徴とするハンドル用簡易テーブル。
【０００７】
上述した実施例は、本発明の一例であり、寸法・角度などは、これを限定するものではない。
【図面の簡単な説明】
【０００８】
【図１】本発明の平面図である。
【図２】本発明の正面図である。
【図３】本発明の側面図である。
【図４】本発明の使用状態を示す図である。
【符号の説明】
【０００９】
１  ハンドル用テーブル本体
２  ホーン下部差し込み部
３  ハンドル当たり部
４  載置部
５  挿入部
６  こぼれ止め
【要約】      （修正有）【課題】自動車等の運転席において、ハンドルに邪魔される事無く、楽に簡単に、上に置いた物がすべり落ちることもなく、食事・本読み・書き物ができる様にする。【解決手段】板状の材料を凸型に切断したハンドル用テーブル本体１の、全ての角を角より縦・横３０ｍｍの点と点を結んだ線上より切り取り、挿入部５を幅１０ｍｍで２０度上方に折り曲げるホーン下部差し込み部２、さらに残り全ての縁を幅１０ｍｍで３０度上方に折り曲げるハンドル当たり部３及びこぼれ止めにする。【選択図】図１【図１】
0005435682.tif 000002
【図２】
0005435682.tif 000003
【図３】
0005435682.tif 000004
【図４】
0005435682.tif 000005
(57)【特許請求の範囲】
【請求項１】
ヘッドホンドライバが発生する球面波を近似的な平面波とするための、凹んだ形状の音響レンズを内蔵し、耳の前方から近似的な平面波とすることで、音像をリスナーの前方に定位させることを特徴とするヘッドホン。
【発明の詳細な説明】
【技術分野】
【０００１】  この発明は音像をリスナーの前方に定位させることで、違和感のないリアルな聴感を得られるようにするヘッドホンに関する。
【背景技術】
【０００２】  ヘッドホンの前方定位に関しては、これまで多くの研究が行われバイノーラル録音等によって現実の音を聞く場合と同等の左右の音の正確な時間遅延まで取り入れられたが、確実な前方定位と認識できるものではなかった。
【発明の概要】
【発明が解決しようとする課題】
【０００３】  これまでのヘッドホンの前方定位に関する多くの研究の結果が暗示していることは音の振動としての鼓膜に到達する聴覚以外に、耳は聴覚上の距離を認識できる機能を持っていることを明らかにしている。
音源を充分前方と認識させる手段として、音波を耳のほぼ全体に振動を与える前方からの近似的な平面波とする。
【課題を解決するための手段】
【０００４】  一般的にヘッドホンドライバは球面波を発生するが、これを平面波に近い音に変換する必要がある。
これを解決するために、図１のヘッドホンドライバ１からの球面波を凹んだ形状の音響レンズ２で近似的に平面波とする。
図２の縦方向の寸法を耳の大きさ程度として左右両方の耳のすぐ前方に装着することで、耳全体を前方からの平面波で覆うことができ、耳は確実に充分前方の音として認識することができる。
必要な方向以外の音は前方定位の障害となるため、ケース４の内側を覆う吸音材３で吸収する。
【発明の効果】
【０００５】  本発明によって、これまでのヘッドホンで聞いた時のような違和感のある頭内定位ではなく、確実な前方定位が得られる。
ステレオ録音時に含まれる左右の音の物理的違いは、前後の定位情報を含んでおり録音時の空間の音像を再現することができる。
【図面の簡単な説明】
【０００６】
【図１】ヘッドホンユニットの内部構造を示す平面断面図である。
【図２】ヘッドホンユニットの側面断面図である。
【符号の説明】
【０００７】１……ドライバユニット、２……音響レンズ、３……吸音材、４……ケース
【発明を実施するための形態】
【０００８】  音響レンズは球面波を平面波に近付ける為に凹んだ放物面とし、その焦点にヘッドホンドライバの仮想的な中心が来るように配置する。
前方からの音は耳介と耳珠の反射で鼓膜に到達するが、音響レンズにこれと同等な物理特性を持つ材質を用いることで音質の劣化を抑える。
【図１】
0005435288.tif 000002
【図２】
0005435288.tif 000003